(57)【要約】【課題】この発明は、不正な解錠方法によって戸が不当に解錠されることを防ぐことができる電気錠制御装置を提供することを目的とするものである。【解決手段】戸１には、第１及び第２の電気錠２，３が設けられている。電気錠２，３を施錠及び解錠するときには、利用者は、鍵穴５，６に鍵４を挿入し、鍵４を操作する。電気錠制御装置１０は、第１及び第２の電気錠２，３のいずれか一方が解錠されたときから基準時間が経過したときに、第１及び第２の電気錠２，３の施錠状態が食い違っていたら、第１及び第２の電気錠２，３を強制的に施錠状態にする。【選択図】図１
2006125049.tif 000002
【特許請求の範囲】
【請求項１】
第１及び第２の電気錠の施錠状態を制御する施錠制御部
を備え、
上記施錠制御部は、上記第１及び上記第２の電気錠のいずれか一方が解錠されたときから予め設定された基準時間が経過したときに、上記第１及び上記第２の電気錠の施錠状態が食い違っていると、異常を検出することを特徴とする電気錠制御装置。
【請求項２】
上記施錠制御部は、異常が検出されると、上記第１及び上記第２の電気錠を施錠状態にすることを特徴とする請求項１記載の電気錠制御装置。
【請求項３】
個人情報が予め登録されている個人情報記憶部、及び
個人情報を入力するための個人情報入力部
をさらに備え、
上記施錠制御部は、上記個人情報記憶部に予め登録されている個人情報と、上記個人情報入力部によって入力された個人情報とが一致したときには、上記第１及び上記第２の電気錠を解錠状態にすることを特徴とする請求項２記載の電気錠制御装置。
【請求項４】
上記個人情報は、指紋データであることを特徴とする請求項３記載の電気錠制御装置。
【請求項５】
上記施錠制御部によって異常が検出されると、所定の通報先と通信を行う通信部
をさらに備えたことを特徴とする請求項１〜請求項４のいずれか一項に記載の電気錠制御装置。
【請求項６】
上記第１及び上記第２の電気錠の鍵穴を塞ぐためのシャッター装置を制御するシャッター制御部
をさらに備え、
上記シャッター制御部は、上記施錠制御部によって異常が検出されると、シャッター装置によって上記鍵穴を塞ぐことを特徴とする請求項１〜請求項５のいずれか一項に記載の電気錠制御装置。
【発明の詳細な説明】
【技術分野】
【０００１】
この発明は、戸を施錠・解錠する複数の電気錠の制御する電気錠制御装置に関するものである。
【背景技術】
【０００２】
従来装置では、戸のこじ開けを防ぐために、複数の錠が戸に設けられている。それぞれの錠ケース内には、デッドカム及び連動カムを有するウサギダルマが設けられている。ダルマには、シリンダ及びサムターンが取り付けられる。例えば、サムターンを回す等をして、錠を操作すると、ダルマが回動される。即ち、錠を操作することで、デッドカム及び連動カムが回動する。デッドカムの回動に連動して、デッドボルト（かんぬき）が移動される。即ち、錠は、ダルマの回動に応じて施錠及び解錠される。
【０００３】
複数の錠が連結されるときには、それぞれの錠における連動カム同士が、連動カムシャフト、スライダ、及び連結ロット棒を介して、互いに連結される。複数の錠が連結されると、１つの錠が操作されることで、複数の錠の施錠及び解錠が行われる（例えば、特許文献１参照）。
【０００４】
【特許文献１】特開２００４−７６４１７号公報
【発明の開示】
【発明が解決しようとする課題】
【０００５】
上記のような従来装置では、連結されている錠が、ピッキング等の不正な解錠方法によって解錠されると、複数の錠が連動して解錠されてしまう可能性が有る。
【０００６】
この発明は、上記のような課題を解決するためになされたものであり、その目的は、不正な解錠方法によって戸が不当に解錠されることを防ぐことができる電気錠制御装置を提供することである。
【課題を解決するための手段】
【０００７】
この発明に係る電気錠制御装置は、第１及び第２の電気錠の施錠状態を制御する施錠制御部を備え、施錠制御部は、第１及び第２の電気錠のいずれか一方が解錠されたときから予め設定された基準時間が経過したときに、第１及び第２の電気錠の施錠状態が食い違っていると、異常を検出する。
【発明の効果】
【０００８】
この発明の電気錠制御装置によれば、施錠制御部が、第１及び第２の電気錠のいずれか一方が解錠されたときから予め設定された基準時間が経過したときに、第１及び第２の電気錠の施錠状態が食い違っていると、異常を検出するので、不正な解錠方法によって戸が不当に解錠されることを防ぐ動作を行うことができる。
【発明を実施するための最良の形態】
【０００９】
以下、この発明を実施するための最良の形態について、図面を参照して説明する。
実施の形態１．
図１は、この発明の実施の形態１による電気錠制御装置１０を示すブロック図である。図において、戸１には、戸１の施錠及び解錠をするための第１及び第２の電気錠２，３が設けられている。即ち、２つの電気錠２，３は、共通の戸１に設けられている。第１及び第２の電気錠２，３には、鍵４が挿入される第１及び第２の鍵穴５，６が設けられている。電気錠２，３の施錠及び解錠を行うときには、利用者は、鍵穴５，６に鍵４を挿入し、鍵４を操作する。
【００１０】
第１及び第２の電気錠２，３には、電気錠制御装置１０が接続されている。電気錠制御装置１０は、第１及び第２の電気錠２，３の施錠及び解錠の状態を切り替える施錠制御部１０ａを有している。
【００１１】
施錠制御部１０ａは、ＣＰＵ（処理部）１１と、第１及び第２の電気錠インタフェース１２，１３と、記憶部２０と、食い違い検出開始タイマ２１とを有している。記憶部２０には、施錠制御部１０ａが動作を行うためのプログラムが格納されている。
【００１２】
施錠制御部１０ａは、第１及び第２の電気錠２，３の施錠及び解錠の状態を制御するとともに、第１及び第２の電気錠２，３の施錠及び解錠の状態を検出する。また、施錠制御部１０ａは、戸１に設けられたセンサ等（図示せず）からの情報により戸１の開閉状態の検出も行う。施錠制御部１０ａが動作した結果の検出情報は、記憶部２０に記録される。施錠制御部１０ａが第１及び第２の電気錠２，３に対して行う動作は、第１及び第２の電気錠インタフェース１２，１３を介して行われる。
【００１３】
第１及び第２の電気錠インタフェース１２，１３は、施錠制御部１０ａが行う動作毎のインタフェースを有している。即ち、第１の電気錠インタフェース１２は、第１の施／解錠（施錠及び解錠）制御インタフェース１４と、第１の施／解錠検出インタフェース１６と、第１の戸開／閉検出インタフェース１８とを有している。これと同様に、第２の電気錠インタフェース１３は、第２の施／解錠（施錠及び解錠）制御インタフェース１５と、第２の施／解錠検出インタフェース１７と、第２の戸開／閉検出インタフェース１９とを有している。
【００１４】
記憶部２０に格納されているプログラムには、第１及び第２の電気錠２，３の両方が、正規の解錠方法（鍵４を鍵穴５，６に挿入し、第１及び第２の電気錠２，３を順に解錠する解錠方法）によって解錠されるのに十分であると考えられる基準時間が設定されている（例えば、１０秒等に設定される）。
【００１５】
施錠制御部１０ａは、第１及び第２の電気錠のいずれか一方が解錠されたときから、予め設定された基準時間を経過したときに、第１及び第２の電気錠２，３の施錠状態が食い違っていると、異常を検出する。また、施錠制御部１０ａは、異常が検出されると、第１及び第２の電気錠２，３を強制的に施錠状態にする。なお、基準時間は、電気錠制御装置１０の設置環境等に応じて任意に設定（調整）可能である。
【００１６】
次に、動作について説明する。図２は、図１の電気錠制御装置１０が行う異常解錠検出動作を示すフローチャートである。戸１が閉じられているとき、第１及び第２の電気錠２，３の施錠状態が常時チェックされ、解錠状態の電気錠２，３が有るかどうかが確認される（待機状態）（ステップＳ１）。
【００１７】
このとき、第１及び第２の電気錠２，３のいずれか一方が解錠されたことが検出されると、食い違い検出開始タイマ２１が起動され（ステップＳ２）、記憶部２０内に予め設定されている基準時間を経過するかどうかが監視される（ステップＳ３）。
【００１８】
そして、基準時間が経過すると、第１及び第２の電気錠２，３の両方の施錠状態がチェックされ、それらの施錠状態に食い違いが有るかどうか（第１及び第２の電気錠２，３の両方の施錠状態が同一であるかどうか）が判断される（ステップＳ４）。
【００１９】
このとき、正規の方法によって第１及び第２の電気錠２，３が解錠されていれば、第１及び第２の電気錠２，３の両方の解錠は、予め設定された基準時間内に行われると考えられる。即ち、第１及び第２の電気錠２，３のいずれか一方の解錠が検出されてから基準時間が経過し、第１及び第２の電気錠２，３の両方の施錠状態がチェックされたときに、それらの施錠状態に食い違いがなければ、第１及び第２の電気錠２，３の解錠方法に異常がなかったと判断される。
【００２０】
一方、第１及び第２の電気錠２，３がピッキング等の不正な解錠方法によって解錠されるには、正規の方法による解錠に比べ、より長い時間が必要であると考えられる。即ち、第１及び第２の電気錠２，３が不正な解錠方法によって解錠される場合、第１及び第２の電気錠２，３のいずれか一方の解錠が検出されたときから基準時間が経過しても他方が解錠されず、第１及び第２の電気錠２，３の施錠状態に食い違いが生じている。すると、第１及び第２の電気錠２，３の解錠方法が異常であると判断され（ステップＳ５）、第１及び第２の電気錠２，３が強制的に施錠状態にされる（ステップＳ６）。即ち、第１及び第２の電気錠２，３のうち、先に解錠された側が再施錠されるとともに、未解錠の側の施錠状態が維持される。
【００２１】
このような電気錠制御装置では、施錠制御部１０ａが、第１及び第２の電気錠２，３のいずれか一方が解錠されたときから予め設定された基準時間が経過したときに、第１及び第２の電気錠２，３の施錠状態が食い違っているかどうかを判断するので、不正な解錠方法による戸１の解錠を異常として検出することができる。そして、異常の検出に応じて第１及び第２の電気錠２，３を強制的に施錠状態にするので、不正な解錠方法によって戸１が不当に解錠されることを防ぐことができる。
【００２２】
実施の形態２．
図３は、この発明の実施の形態２による電気錠制御装置２５を示すブロック図である。図において、電気錠制御装置２５内に設けられている記憶部（個人情報記憶部）２６には、個人情報である指紋データが予め登録されている。
【００２３】
戸１の近傍には、利用者から指紋データを読み取る指紋読取装置（図示せず）が設けられている。電気錠制御装置２５は、指紋読取装置からの指紋データを受信する指紋データ受信部（個人情報入力部）２７を有している。
【００２４】
施錠制御部１０ａは、指紋データ受信部２７に指紋データが入力されると、その入力された指紋データが、記憶部２６内の指紋データに登録されているかどうか、即ち入力された指紋データと記憶部２６に予め登録されている指紋データとが一致するかどうかを判定する。そして、施錠制御部１０ａは、入力された指紋データと、予め登録されている指紋データとが一致したときに、第１及び第２の電気錠２，３の両方を同時に解錠状態にする（指紋照合解錠）。その他の構成は、実施の形態１と同様である。
【００２５】
次に、動作について説明する。図４は、図３の電気錠制御装置２５が行う異常解錠検出動作を示すフローチャートである。図において、戸１が閉じられているときに、実施の形態１と同様に、第１及び第２の電気錠２，３の施錠状態が常時チェックされ、解錠状態の電気錠２，３が有るかどうかが確認される（待機状態）（ステップＳ１）。
【００２６】
このとき、第１及び第２の電気錠２，３のいずれか一方が解錠されたことが検出されると、その第１又は第２の電気錠２，３の解錠が指紋照合解錠によるものかどうかが判定される（ステップＳ２０）。
【００２７】
そして、第１又は第２の電気錠２，３の解錠が指紋照合解錠によるものと判定されれば、第１及び第２の電気錠２，３の解錠がピッキング等の不正な解錠方法による解錠でないと判断される。
【００２８】
一方、第１又は第２の電気錠２，３の解錠が指紋照合解錠によるものでないと判定されると、その第１又は第２の電気錠２，３の解錠が、正規の解錠方法による解錠か、或いは不正な解錠方法による解錠かが、実施の形態１と同様に判定され（ステップＳ２〜４）、第１及び第２の電気錠２，３が不正な解錠方法によって解錠されていると判定されると、第１及び第２の電気錠２，３の解錠方法が異常であると判断され（ステップＳ５）、第１及び第２の電気錠２，３が強制的に施錠状態にされる（ステップＳ６）。
【００２９】
このような電気錠制御装置２５では、利用者は、個人情報を入力することで、複数の電気錠２，３を同時に解錠状態にすることができるので、実施の形態１の効果に加え、利便性を向上させることができる。
【００３０】
また、このような電気錠制御装置２５では、個人情報として指紋データを用いるので、戸１を解錠することが許可されている利用者を、より正確に判定することができ、防犯能力をより向上させることができる。
【００３１】
実施の形態３．
図５は、この発明の実施の形態３による電気錠制御装置３０を示すブロック図である。図において、電気錠制御装置３０は、通信インタフェース（図示しない）を含む通信部３１を有している。通信部３１は、例えば、電話回線等を介して、ビルの管理会社に設けられている監視盤３２（所定の通報先）に接続されている。
【００３２】
通信部３１は、施錠制御部１０ａが異常を検出したときに、ビルの管理会社に設けられている監視盤３２と通信する。即ち、電気錠制御装置３０は、施錠制御部１０ａが異常を検出したときに、異常が検出されたことを管理会社に対して通報する。
【００３３】
監視盤３２への通信方法の情報（例えば、電話番号等）は、記憶部３４に通報先情報として予め登録されている。その他の構成は、実施の形態２と同様である。
【００３４】
次に、動作について説明する。図６は、図５の電気錠制御装置３０が行う異常解錠検出動作を示すフローチャートである。図において、待機状態時の動作（ステップＳ１）と、第１及び第２の電気錠２，３のいずれか一方が解錠されたときに、その解錠が指紋照合解錠によるものかどうかを判断する動作（ステップＳ２０）と、不正な解錠方法による解錠であるかどうかを判定する動作（ステップＳ２〜４）とは、実施の形態２と同様である。
【００３５】
この実施の形態３では、第１又は第２の電気錠２，３の解錠が、ピッキング等の不正な解錠方法による解錠だと判断されると、第１及び第２の電気錠２，３の解錠方法が異常であると判断され（ステップＳ５）、第１及び第２の電気錠２，３が強制的に施錠状態にされる（ステップＳ６）と同時に、異常が検出されたことが管理会社に対して通報される（ステップＳ３０）。
【００３６】
このような電気錠制御装置３０では、異常が施錠制御部１０ａによって検出されたことが、通信部３１によって管理会社に通報されるので、実施の形態２の効果に加え、通報を受けた管理会社は警備員を派遣する等の対策をとることができ、防犯能力をより向上させることができる。
【００３７】
実施の形態４．
図７は、この発明の実施の形態４による電気錠制御装置４２を示すブロック図である。図において、第１及び第２の電気錠２，３には、第１及び第２の鍵穴５，６を塞ぐための第１及び第２のシャッター装置４０，４１が設けられている。第１及び第２のシャッター装置４０，４１は、電気錠制御装置４２に接続されている。電気錠制御装置４２は、第１及び第２のシャッター装置４０，４１の動作を制御するシャッター制御部４３を有している。
【００３８】
シャッター制御部４３は、施錠制御部１０ａによって異常が検出されると、第１及び第２のシャッター装置４０，４１を動作させることによって、第１及び第２の鍵穴５，６を塞ぐ。その他の構成は、実施の形態３と同様である。
【００３９】
次に、動作について説明する。図８は、図７の電気錠制御装置４２が行う異常解錠検出動作を示すフローチャートである。図において、待機状態時の動作（ステップＳ１）と、第１及び第２の電気錠２，３のいずれか一方が解錠されたときに、その解錠が指紋照合解錠によるものかどうかを判断する動作（ステップＳ２０）と、不正な解錠方法による解錠であるかどうかを判定する動作（ステップＳ２〜４）とは、実施の形態２と同様である。
【００４０】
実施の形態４においては、第１又は第２の電気錠２，３の解錠がピッキング等の不正な解錠方法による解錠だと判断されると、第１及び第２の電気錠２，３の解錠方法が異常であると判断され（ステップＳ５）、第１及び第２の電気錠２，３が強制的に施錠状態にされる動作（ステップＳ６）と、異常が検出されたことが管理会社に対して通報される動作（ステップＳ３０）とが行われると同時に、第１及び第２の鍵穴５，６が、第１及び第２のシャッター装置４０，４１によって、塞がれる（ステップＳ４０）。
【００４１】
このような電気錠制御装置４２では、異常が施錠制御部１０ａによって検出されたときに、第１及び第２の鍵穴５，６が、第１及び第２のシャッター装置４０，４１によって塞がれるので、実施の形態３の効果に加え、ピッキング等の不正な解錠が行われることを物理的に拒むことができ、防犯能力をより向上させることができる。
【００４２】
なお、実施の形態２〜４において、個人情報として指紋データを用いるように説明したが、個人情報は指紋データに限らず、利用者が入力するパスワード、又はＩＣカードに登録された情報等であってもよい。即ち、指紋読取装置は、用いられる個人情報に応じて、パスワード入力装置、ＩＣカードリーダー等であってもよい。
【００４３】
また、実施の形態１〜４において、戸１を施錠していたのは、第１及び第２の電気錠２，３の２つであるように説明したが、電気錠の数は、２つに限定されることなく、３つ以上でもよい。
【００４４】
さらに、電気錠制御装置が行う異常検出後の動作は、上記の例に限定されず、異常が検出されると、例えば戸付近の画像をカメラにより撮影したり、警告音を鳴らしたりしてもよい。
【図面の簡単な説明】
【００４５】
【図１】この発明の実施の形態１による電気錠制御装置を示すブロック図である。
【図２】図１の電気錠制御装置が行う異常解錠検出動作を示すフローチャートである。
【図３】この発明の実施の形態２による電気錠制御装置を示すブロック図である。
【図４】図３の電気錠制御装置が行う異常解錠検出動作を示すフローチャートである。
【図５】この発明の実施の形態３による電気錠制御装置を示すブロック図である。
【図６】図５の電気錠制御装置が行う異常解錠検出動作を示すフローチャートである。
【図７】この発明の実施の形態４による電気錠制御装置を示すブロック図である。
【図８】図７の電気錠制御装置が行う異常解錠検出動作を示すフローチャートである。
【符号の説明】
【００４６】
２，３  第１及び第２の電気錠、５，６  第１及び第２の鍵穴、１０，２５，３０，４２  電気錠制御装置、１０ａ  施錠制御部、２０  記憶部、２６，３４  記憶部（個人情報記憶部）、２７  指紋データ受信部（個人情報入力部）、３１  通信部、３２  監視盤（所定の通報先）、４０，４１  第１及び第２のシャッター装置、４３  シャッター制御部。
【図１】
2006125049.tif 000003
【図２】
2006125049.tif 000004
【図３】
2006125049.tif 000005
【図４】
2006125049.tif 000006
【図５】
2006125049.tif 000007
【図６】
2006125049.tif 000008
【図７】
2006125049.tif 000009
【図８】
2006125049.tif 000010